(57)【要約】【課題】放射性液体医薬品を入れるような重量の大きな遮蔽容器を、安定した状態でつかんで持ち上げることができる遮蔽容器ホルダーを提供する。【解決手段】  取扱者は、遮蔽容器ホルダー９のハンドル１３をつかみ、押さえ部３５で遮蔽容器１の蓋５の上面を上方から押さえ、この押さえた状態で、レバー３９をスリット４１にそって動かすことで、容器本体３と蓋５との間にある庇状の段部７の下側を、クランパー２９で左右からつかむ。つかんだ状態で、さらにレバー３９をスリット４１のＬ字状部分に移動させて、ロックする。遮蔽容器１は、押さえ部３５とクランパー２９の左右の爪で三方からつかまれ、よって安定して持ち上げられる。【選択図】図1
2005189192.tif 000002
【特許請求の範囲】
【請求項１】
放射性医薬品を収納し放射線を遮蔽する遮蔽容器であって、容器本体と蓋との間に庇状の段部を有する遮蔽容器をつかんで持ち上げて取り扱うホルダーにおいて、
取扱者がつかむハンドルと、前記蓋の上面を上方から押さえる押さえ部と、この押さえた状態で前記段部の下側を左右からつかむことができる位置に設けられたクランパーと、つかんだ状態を維持するロック手段と、を有することを特徴とする遮蔽容器ホルダー。
【請求項２】
前記クランパーは、開く方向に付勢するスプリングを有することを特徴とする請求項１に記載の遮蔽容器ホルダー。
【請求項３】
前記押さえ部は、押さえ方向に付勢するスプリングを有することを特徴とする請求項１、又は２に記載の遮蔽容器ホルダー。
【請求項４】
前記ハンドルを兼ね左右に配置される第１スリーブと、この第１スリーブの下方で平行に配置される第２スリーブと、前記第１スリーブから出没する第１シャフトと、前記第２スリーブから出没する第２シャフトと、前記第１スリーブ及び第２スリーブの前記出没がなされない端部に固定される第１アームと、この第１アームの下端に設けられて前記クランパーを構成する第１爪と、前記第１シャフト及び第２シャフトの前記出没がなされる端部に固定される第２アームと、この第２アームの下端に設けられて前記クランパーを構成する第２爪と、前記第２スリーブに設けられ第２スリーブ周りに回動可能な前記押さえ部と、
前記第１シャフトに突設されたレバーが第１スリーブに形成されたＬ字状部分を有するスリットに貫通して構成される前記ロック手段と、を有することを特徴とする請求項１、２、又は３に記載の遮蔽容器ホルダー。
【請求項５】
左右に配置される前記ハンドルと、このハンドルの左右から下方に伸び弾性を有し、上下方向の中央が内側にくびれたくびれ部分を有する第１アーム及び第２アームと、第１アーム及び第２アームの下端に設けられて前記クランパーを構成する第１爪及び第２爪と、前記第１アーム及び第２アームの前記くびれ部分が貫通する左右二つの貫通孔を有する板材と、この板材の中央下面が兼ねる前記押さえ部と、前記第１アーム及び第２アームの前記くびれ部分に各々回動可能に支持され、外側端が前記板材の上面を押圧する二つの板バネと、これら左右の板バネの各々の内側端に中央が連結され上方へ引き上げられるためのレバーロッドと、このレバーロッドの両端が、前記第１アーム及び第２アームに形成されるＬ字状部分を有するスリットに貫通して構成される前記ロック手段と、を有することを特徴とする請求項１、２、又は３に記載の遮蔽容器ホルダー。
【請求項６】
左右に配置される前記ハンドルと、このハンドルの左右から下方に伸び弾性を有し、上下方向の中央が内側にくびれたくびれ部分を有する第１アーム及び第２アームと、第１アーム及び第２アームの下端に設けられて前記クランパーを構成する第１爪及び第２爪と、前記第１アーム及び第２アームの前記くびれ部分が貫通する左右二つの貫通孔を有する板材と、この板材の中央下面が兼ねる前記押さえ部と、前記第１アーム及び第２アームの前記くびれ部分に各々回動可能に支持され、外側端が前記板材の上面を押圧する二つの板バネと、これら左右の板バネの各々の内側端に中央が固定され上方へ引き上げられるためのレバーと、このレバーの引き上げによって前記二つの板バネの内側端が上方へ撓んだことにより形成される空間に、嵌め込むことができるスペーサからなる前記ロック手段と、を有することを特徴とする請求項１、２、又は３に記載の遮蔽容器ホルダー。
【請求項７】
左右に配置される前記ハンドルと、このハンドルの下方で平行に配置される板材の中央下面が兼ねる前記押さえ部と、この板材の左右から下方に伸びる第１アーム及び第２アームと、第１アーム及び第２アームの下端に設けられて前記クランパーを構成する第１爪及び第２爪と、前記第１アーム又は第２アームを回動可能にし且つ閉じる方向に付勢する回動機構と、前記ハンドルを握った状態で前記回動機構を開くことができるレバーと、このレバーに接触して前記回動機構の開く方向の動きを規制する前記ロック手段と、を有することを特徴とする請求項１、２、又は３に記載の遮蔽容器ホルダー。
【請求項８】
放射性医薬品を収納し放射線を遮蔽する遮蔽容器であって、容器本体と蓋との間に庇状の段部を有する遮蔽容器をつかんで持ち上げて取り扱うホルダーにおいて、
取扱者がつかむハンドルを兼ね左右に配置される第１スリーブと、この第１スリーブの下方で平行に配置される第２スリーブと、前記第１スリーブから出没する第１シャフトと、前記第２スリーブから出没する第２シャフトと、前記第１スリーブ及び第２スリーブの前記出没がなされない端部に固定される第１アームと、この第１アームの下端に設けられてクランパーを構成する第１爪と、前記第１シャフト及び第２シャフトの前記出没がなされる端部に固定される第２アームと、この第２アームの下端に設けられてクランパーを構成する第２爪と、前記第１シャフトに突設されたレバーが第１スリーブに形成されたＬ字状部分を有するスリットに貫通して構成される前記ロック手段と、を有し、前記第２スリーブの下面で前記蓋の上面を上方から押さえるように前記第２スリーブと前記第１爪及び第２爪との距離を設定したことを特徴とする遮蔽容器ホルダー。
【請求項９】
前記Ｌ字状部分を有するスリットは、Ｌ字の長辺部分が第１スリーブの側面で長手方向に形成され、Ｌ字の短辺部分が第１スリーブの上面で周方向に形成されることを特徴とする請求項８に記載の遮蔽容器ホルダー。
【発明の詳細な説明】
【技術分野】
【０００１】
この発明は、放射性医薬品を収納し放射線を遮蔽する重量の大きな遮蔽容器をつかんで持ち上げて取り扱うホルダーの構造に関する。
【背景技術】
【０００２】
放射性液体医薬品として、例えば塩化タリウム（Ｔｌ−２０１）注射液などの放射性注射液は、ガラス製の注射器の中に入れられ、注射器の外側をタングステン製シールドで覆って、医療現場などで扱われる。このシールドで覆われた注射器は、運搬されるときなどはさらに鉛製の容器に入れられて遮蔽され、放射線が不必要に外部に漏れないようにして扱われる。そのような複数の鉛製の容器は複数が箱に並べて緩衝材とともに入れられて、運搬などがされる。
【０００３】
このような鉛製などの容器は、重量が重いので、複数が箱に並んだ状態で、そのうちの一個の容器の上部を指先でつまんで持ち上げることは、容易ではない。特に、非力な医療従事者、例えば女性看護士などは、困難が伴う。
【０００４】
このため、従来は、図１６に示す氷掴みのような器具１０１で遮蔽容器１０３をつかんで持ち上げることが提案されていた。この器具１０１は、大きなはさみのような構成を有し、はさみの先端に形成された一対の爪１０５によって、容器本体１０７と蓋１０９との間に庇状の段部１１１の下側を左右からつかむことができる。指先でつまむよりも、握力全体を使って大きな力が出せるので、容易に遮蔽容器１０３をつかんで持ち上げることができる。
【発明の開示】
【発明が解決しようとする課題】
【０００５】
しかしながら、以上の技術によれば、器具で遮蔽容器をつかんで持ち上げた状態で、遮蔽容器がつかまれた部分を中心にしてふらつき、不安定な感じがするものであった。
また、不安定な感じがする他の原因として、つかんで持ち上げた状態を維持するのに、つかんだ手の力だけに頼らなければならないことがあった。
そこで、この発明は、重量の大きな遮蔽容器を、安定した状態でつかんで持ち上げることができる遮蔽容器ホルダーを提供することを課題とする。
【課題を解決するための手段】
【０００６】
以上の課題を解決するために、第一発明は、放射性医薬品を収納し放射線を遮蔽する遮蔽容器であって、容器本体と蓋との間に庇状の段部を有する遮蔽容器をつかんで持ち上げて取り扱うホルダーにおいて、
取扱者がつかむハンドルと、前記蓋の上面を上方から押さえる押さえ部と、この押さえた状態で前記段部の下側を左右からつかむことができる位置に設けられたクランパーと、つかんだ状態を維持するロック手段と、を有することを特徴とする遮蔽容器ホルダーである。
【０００７】
第二発明は、更に、前記クランパーは、開く方向に付勢するスプリングを有することを特徴とする遮蔽容器ホルダーである。
第三発明は、更に、前記押さえ部は、押さえ方向に付勢するスプリングを有することを特徴とする遮蔽容器ホルダーである。
【０００８】
第四発明は、更に、前記ハンドルを兼ね左右に配置される第１スリーブと、この第１スリーブの下方で平行に配置される第２スリーブと、前記第１スリーブから出没する第１シャフトと、前記第２スリーブから出没する第２シャフトと、前記第１スリーブ及び第２スリーブの前記出没がなされない端部に固定される第１アームと、この第１アームの下端に設けられて前記クランパーを構成する第１爪と、前記第１シャフト及び第２シャフトの前記出没がなされる端部に固定される第２アームと、この第２アームの下端に設けられて前記クランパーを構成する第２爪と、前記第２スリーブに設けられ第２スリーブ周りに回動可能な前記押さえ部と、前記第１シャフトに突設されたレバーが第１スリーブに形成されたＬ字状部分を有するスリットに貫通して構成される前記ロック手段と、を有することを特徴とする遮蔽容器ホルダーである。
【０００９】
第五発明は、更に、左右に配置される前記ハンドルと、このハンドルの左右から下方に伸び弾性を有し、上下方向の中央が内側にくびれたくびれ部分を有する第１アーム及び第２アームと、第１アーム及び第２アームの下端に設けられて前記クランパーを構成する第１爪及び第２爪と、前記第１アーム及び第２アームの前記くびれ部分が貫通する左右二つの貫通孔を有する板材と、この板材の中央下面が兼ねる前記押さえ部と、前記第１アーム及び第２アームの前記くびれ部分に各々回動可能に支持され、外側端が前記板材の上面を押圧する二つの板バネと、これら左右の板バネの各々の内側端に中央が連結され上方へ引き上げられるためのレバーロッドと、このレバーロッドの両端が、前記第１アーム及び第２アームに形成されるＬ字状部分を有するスリットに貫通して構成される前記ロック手段と、を有することを特徴とする遮蔽容器ホルダーである。
【００１０】
第六発明は、更に、左右に配置される前記ハンドルと、このハンドルの左右から下方に伸び弾性を有し、上下方向の中央が内側にくびれたくびれ部分を有する第１アーム及び第２アームと、第１アーム及び第２アームの下端に設けられて前記クランパーを構成する第１爪及び第２爪と、前記第１アーム及び第２アームの前記くびれ部分が貫通する左右二つの貫通孔を有する板材と、この板材の中央下面が兼ねる前記押さえ部と、前記第１アーム及び第２アームの前記くびれ部分に各々回動可能に支持され、外側端が前記板材の上面を押圧する二つの板バネと、これら左右の板バネの各々の内側端に中央が固定され上方へ引き上げられるためのレバーと、このレバーの引き上げによって前記二つの板バネの内側端が上方へ撓んだことにより形成される空間に、嵌め込むことができるスペーサからなる前記ロック手段と、を有することを特徴とする遮蔽容器ホルダーである。
【００１１】
第七発明は、更に、左右に配置される前記ハンドルと、このハンドルの下方で平行に配置される板材の中央下面が兼ねる前記押さえ部と、この板材の左右から下方に伸びる第１アーム及び第２アームと、第１アーム及び第２アームの下端に設けられて前記クランパーを構成する第１爪及び第２爪と、前記第１アーム又は第２アームを回動可能にし且つ閉じる方向に付勢する回動機構と、前記ハンドルを握った状態で前記回動機構を開くことができるレバーと、このレバーに接触して前記回動機構の開く方向の動きを規制する前記ロック手段と、を有することを特徴とする遮蔽容器ホルダーである。
【００１２】
第八発明は、放射性医薬品を収納し放射線を遮蔽する遮蔽容器であって、容器本体と蓋との間に庇状の段部を有する遮蔽容器をつかんで持ち上げて取り扱うホルダーにおいて、取扱者がつかむハンドルを兼ね左右に配置される第１スリーブと、この第１スリーブの下方で平行に配置される第２スリーブと、前記第１スリーブから出没する第１シャフトと、前記第２スリーブから出没する第２シャフトと、前記第１スリーブ及び第２スリーブの前記出没がなされない端部に固定される第１アームと、この第１アームの下端に設けられてクランパーを構成する第１爪と、前記第１シャフト及び第２シャフトの前記出没がなされる端部に固定される第２アームと、この第２アームの下端に設けられてクランパーを構成する第２爪と、前記第１シャフトに突設されたレバーが第１スリーブに形成されたＬ字状部分を有するスリットに貫通して構成される前記ロック手段と、を有し,前記第２スリーブの下面で前記蓋の上面を上方から押さえるように前記第２スリーブと前記第１爪及び第２爪との距離を設定したことを特徴とする遮蔽容器ホルダーである。
【００１３】
第九発明は、更に、前記Ｌ字状部分を有するスリットは、Ｌ字の長辺部分が第１スリーブの側面で長手方向に形成され、Ｌ字の短辺部分が第１スリーブの上面で周方向に形成されることを特徴とする遮蔽容器ホルダーである。
【発明の効果】
【００１４】
第一、第二、第三、第四、第五、第六、または第七発明によれば、遮蔽容器の蓋の上面を上方から押さえ部で押さえ、この押さえた状態で遮蔽容器の段部の下側を左右からつかみ、つかんだ状態をロック手段で維持するので、重量の大きな遮蔽容器を安定した状態でつかんで持ち上げることができる。
【００１５】
更に、第二、第三、第四、第五、第六、または第七発明によれば、クランパーが開く方向にスプリングで付勢されるので、遮蔽容器を外す動作がスムーズに行える。
更に、第三、第四、第五、第六、または第七発明によれば、押さえ部が、押さえ方向にスプリングによって付勢されるので、より安定性が向上する。
【００１６】
更に、第四発明によれば、ハンドルを兼ねる第１スリーブを手で持った状態で、この手の親指で、ロック手段のレバーを操作して、第１スリーブ及び第２スリーブから第１シャフト及び第２シャフトを出没させ、クランパーを開閉できるので、開閉の機構が頑丈であり、また開閉の動作がスムーズであり、更に操作が容易で安定する。また、第２スリーブ周りに回動可能な押さえ部を設けることで、遮蔽容器の蓋に対する押さえ部の位置決めが容易になり、遮蔽容器ホルダーの取り扱いが楽になる。
【００１７】
更に、第五発明によれば、第１アーム及び第２アームの弾性を利用してクランパーが開く方向に付勢されるので、別途にスプリングなどを設ける必要が無い。
更に、第六発明によれば、スペーサをロック手段とすることで、ロック手段をシンプルな構造にできる。
更に、第七発明によれば、シンプルな機構で遮蔽容器ホルダーを構成できる。
【００１８】
また、第八、または第九発明によれば、レバーをスリットのＬ字の一辺部分に係合させることで、つかんで持ち上げた状態を維持することができる。よって、不安定な感じをなくすことができる。
【００１９】
更に、第九発明によれば、遮蔽容器をつかむ際には、親指でレバーを、第１スリーブの上面で周方向に形成されるＬ字の短辺部分に係合させることで、レバーは上方に突出した状態になっており、したがって、第１スリーブ１１の側方を上下動する動きが多い取扱者の手が、突出したレバーに誤って下方からぶつかる恐れが少なく、これにより、誤って係合が外れる可能性を小さくできる。
【発明を実施するための最良の形態】
【００２０】
（第１実施形態）
第四発明等に係る第１実施形態を、図１〜図４に示す。
この実施形態で取り扱われる遮蔽容器１（図４参照）は、内部本体が鉛製であり、プラスチック製の外被を有する。そして、円筒状の容器本体３に対し、容器本体３の径よりも大きな径を有する円筒状の蓋５が、螺合されている。これにより容器本体３と蓋５との間には、庇状の段部７が存在する。
【００２１】
遮蔽容器ホルダー９の上方で左右に水平に配置される第１スリーブ１１は、遮蔽容器ホルダー９を取り扱う取扱者がつかむハンドル１３を兼ねる。この第１スリーブ１１の下方で、第２スリーブ１５が平行に配置される。第１スリーブ１１からは、第１シャフト１７が水平方向へ（図中右方向へ）スライドして出没する。第２スリーブ１５からは、第２シャフト１９が水平方向へ（図中右方向へ）スライドして出没する。
【００２２】
第１スリーブ１１及び第２スリーブ１５の前記出没がなされない端部（図中左端部）には、下方へ伸びる第１アーム２１が固定される。この第１アーム２１の下端に円弧状の第１爪２３が設けられる。また、第１シャフト１７及び第２シャフト１９の前記出没がなされる側の端部には、下方へ伸びる第２アーム２５が固定される。この第２アーム２５の下端に円弧状の第２爪２７が設けられる。以上の機構により、クランパー２９が構成される。
【００２３】
第２スリーブ１５には、外周に外周スリーブ３１が嵌合して回動可能とされ、この外周スリーブ３１から下方に向かって筒状の支持柱３３が固定され、支持柱３３の下端に押さえ部３５が突設される。押さえ部３５は、遮蔽容器１の蓋５と同じ径の円盤状を有する。この円盤の下面の縁部は、円状に突出し、蓋５との嵌合がなされ、外れにくい。筒状の支持柱３３の内部には、図示しない押圧用コイルスプリングが配置され、押さえ部３５を下方（押圧方向）に付勢する。
【００２４】
第１スリーブ１１の内部には、第１シャフト１７を水平方向へ付勢し、よってクランパー２９を開く図示しない開スプリングが、配置される。
第２スリーブ１５の外周には、外周スリーブ３１と第１アーム２１との間に位置決めコイルスプリング３７が配置され、これにより、外周スリーブ３１に設けられた押さえ部３５が、第２スリーブ１５の略中央に位置するように位置決めを行う。
【００２５】
図２に示すように、第１シャフト１７には、指先で操作するレバー３９が突設される。このレバー３９は、この第１シャフト１７の外周に位置する第１スリーブ１１に形成されたスリット４１に貫通している。スリット４１は、全体がＬ字状をなし、Ｌ字の長辺部分が第１スリーブ１１の上面で長手方向に形成され、Ｌ字の短辺部分が第１スリーブ１１の側面で周方向に形成される。
【００２６】
「操作方法」
図３、図４に示すように、この実施形態に係る遮蔽容器ホルダー９の操作方法は、遮蔽容器ホルダー９を取り扱う取扱者が片手でハンドル１３をつかみ、つかんだ手の親指でレバー３９を、Ｌ字状のスリット４１の長辺部分にそって押す。これにより、開スプリングの付勢力もあって、クランパー２９が容易に開く。
【００２７】
次に、遮蔽容器ホルダー９全体を傾けると同時に押さえ部３５を自重により第２スリーブ周りに少し回動させ、これにより押さえ部３５を鉛直方向に位置させ、クランパー２９の爪が邪魔にならずに、遮蔽容器１の蓋５の上を押さえる。このように押さえ部３５で蓋５を押さえることで、遮蔽容器１に対する遮蔽容器ホルダー９全体の位置決めができる。次に、遮蔽容器ホルダー９全体の傾きを戻し、よってクランパー２９の爪が、容器本体３と蓋５との間にある庇状の段部７の下側を、左右からつかむ位置に臨む（図３の状態）。
【００２８】
そして、図３に示すように親指でレバー３９を、Ｌ字状のスリット４１の長辺部分にそって戻し、開スプリングの付勢力に抗して、クランパー２９を閉じ、クランパー２９の爪が、庇状の段部７の下側を左右からつかむ。更に、親指でレバー３９をスリット４１のＬ字の短辺部分に係合させる。係合した状態を図４に示す。この係合は、図示しない開スプリングの付勢力によりしっかりと行われる。
【００２９】
このようにして、遮蔽容器ホルダー９によって遮蔽容器１を容易に扱い、運搬などをすることができる。
運搬などが終わり、クランパー２９を開く場合には、親指でレバー３９をスリット４１のＬ字の短辺部分から係合を解除し、図示しない開スプリングの付勢力により、第２アーム２５を突出移動させ、クランパー２９を開くことができる。同時に、それまで縮んでいたコイルスプリング３７が伸びることにより、遮蔽容器１の蓋５から反力が得られる押さえ部３５、支持柱３３、外周スリーブ３１を介して、第１アーム２１を開く方向へ移動できる。これによりクランパー２９をスムーズに開くことができる。
【００３０】
「実施形態の効果」
よってこの実施形態によれば、重量の大きな遮蔽容器１は、上方からと左右からの３方向からつかまれ、ふらつくことが無く、安定した状態で持ち上げられる。
また、二つのスリーブから二つのシャフトがスライドして出没することで行われる開閉の機構が頑丈であり、また開閉の動作がスムーズである。更に、親指でレバー３９を押したり戻したりすることで操作がなされ、操作が容易で安定する。
【００３１】
また、回動可能な押さえ部３５を設けることで、クランパー２９の爪が容器に接触したりするなどの邪魔にならずに、遮蔽容器１の蓋５に対する押さえ部３５の位置決めが容易になり、したがって遮蔽容器ホルダー９の取り扱いが楽になる。
【００３２】
（第２実施形態）
以上の第１実施形態をさらに改良したものとして、図５及び図６に第２実施形態を示す。なお、この実施形態は、第八発明及び第九発明に係る。また、各実施形態を示す図面において、同様の機能を果たす部分には同一の符号を付す。
すなわち第１実施形態では、Ｌ字状のスリット４１は、Ｌ字の長辺部分が第１スリーブ１１の上面で長手方向に形成され、Ｌ字の短辺部分が第１スリーブ１１の側面で周方向に形成され、よって遮蔽容器をつかむ際には、親指でレバー３９をスリット４１のＬ字の短辺部分に係合させるものであったが、この係合の状態では、レバー３９が側方に突出した状態になっており、したがって、突出したレバー３９に誤って下方から手がぶつかると、レバー３９が上方に跳ね上げられ、係合が外れる可能性が考えられる。
【００３３】
これに対し第２実施形態は、スリット４１の位置を９０度変えて、Ｌ字の長辺部分が第１スリーブ１１の側面で長手方向に形成され、Ｌ字の短辺部分が第１スリーブ１１の上面で周方向に形成されるように改良した。よって、遮蔽容器をつかむ際には、図６に示すように親指でレバー３９を、第１スリーブ１１の上面スリット４１に形成されるＬ字の短辺部分に係合させることになる。この係合の状態では、レバー３９は上方に突出した状態になっており、したがって、突出したレバー３９に誤って下方から手がぶつかる恐れはない。すなわち、取扱者の手の動きは、第１スリーブ１１の近辺では、第１スリーブ１１の側方を上下動する動きが多く、第１スリーブ１１の上面を長手に沿って水平動する動きは少ないので、これにより、誤って係合が外れる可能性を小さくできる。
【００３４】
また、この第２実施形態では、第１実施形態と同様に、レバー３９をスリット４１のＬ字の短辺部分に係合させることで、つかんで持ち上げた状態を手の力によらずに維持することができ、よって、不安定な感じをなくすことができる。
【００３５】
また、第１実施形態では、第２スリーブ１５には、外周スリーブ３１、支持柱３３を介して円盤状の押さえ部３５が突設されるものであったが、この第２実施形態では、このような円盤状の押さえ部３５は省略される。その代わりに、第２スリーブの下面が押さえ部の機能を果たす。すなわち、第２スリーブ１５の下面が蓋５の上面を上方から押さえるように、第２スリーブ１５と前記第１爪及び第２爪との距離を設定する。そして、第２スリーブ１５の下面にはスペーサ１５Ａを貼り付け、距離の設定の調整や蓋５との弾力的な接触を図る。このように下方に突出した円盤状の押さえ部３５を省略することで、遮蔽容器ホルダー全体をコンパクトにできる。
【００３６】
（第３実施形態）
第五発明等に係る第３実施形態を、図７〜図１０に示す。
図７に示すように、左右方向に水平に配置されるハンドル１３の左右端から、夫々下方に第１アーム２１及び第２アーム２５が伸びる。これら第１アーム２１及び第２アーム２５は、ステンレススチール板製で、弾性を有し、上下方向の中央が内側にくびれている。また、下端には、クランパー２９を構成する第１爪２３及び第２爪２７が設けられる。
【００３７】
第１アーム２１及び第２アーム２５のくびれ部分には、左右に略水平に板材４３が配置される。この板材４３は、左右二つの貫通孔４５を有し、第１アーム２１及び第２アーム２５のくびれ部分が貫通する。後述するようにこの板材４３が下方へ押圧されることで、板材４３の貫通孔４５が、第１アーム２１及び第２アーム２５のくびれ部分を押し、よって第１アーム２１及び第２アーム２５は内側へ撓み、クランプが閉じる。
【００３８】
この板材４３の中央下面には、押さえ部３５が突設され、後述するようにこの板材４３が下方へ押圧されることで、押さえ部３５による蓋５の押さえ動作がなされる。押さえ部３５は、遮蔽容器１の蓋５と同じ径の円盤状を有する。この円盤の下面は、ゴム製であり、摩擦により蓋５が外れにくい。
【００３９】
第１アーム２１及び第２アーム２５のくびれ部分に板バネ４７が配置される。各板バネ４７は、アームのくびれ部分に空けられた支持窓４９に貫通して、各々回動可能に支持される。この支持の位置が動かないように、各板バネ４７にはボルト５２が取り付けられ、アーム２１、２５の内側に当接する。板バネ４７は形状が略への字状をなし、への字の外側端が板材４３の上面に接する。
これら左右の板バネ４７のへの字の各々の内側端に、連結部材５１がピン結合により連結され、この連結部材５１の上端が、水平に配置されるレバーロッド５３の中央に連結される。
【００４０】
レバーロッド５３はハンドル１３の下方に平行に配置され、取扱者がハンドル１３をつかんだ手の指で、レバーロッド５３を上方へ引き上げることができる。この引き上げにより、板バネ４７は支持部位を中心にてこの原理で、板材４３の上面を下方に向かって押圧する。
【００４１】
板材４３が押圧されると、板材４３の貫通孔４５の外側縁部が、第１アーム２１及び第２アーム２５のくびれ部分を外側から押し、よって第１アーム２１及び第２アーム２５は内側へ撓み、クランプが閉じる。同時に、この押圧された板材４３の押さえ部３５により、蓋５の押さえ動作がなされる。
【００４２】
図８に示すように、引き上げられたレバーロッド５３の両端が、第１アーム２１及び第２アーム２５に形成されるスリット５４に貫通し、スリット５４のＬ字状部分の長辺部分にそって上昇し、その後に短辺部分に係止しロックが行われる（第一のロック手段５５によるロック）。
【００４３】
図９に示すように、更に、この係止したレバーロッド５３の端部５３ａを、第二のロック手段５６がロックする。すなわち、第二のロック手段５６を構成し上下動可能に設けられるロックロッド５７をヘッドボタン５７ａを押して押下げ（図１０）、この押下げ位置で止め、ロックロッド５７の下端がレバーロッド５３の端部５３ａの側面に接触することで、スリット５４のＬ字状部分の短辺部分に留め、短辺部分から長辺部分へ移行してしまうのを防止する。
【００４４】
ロックを解除する際には、第二のロック手段５６の解除ボタン５８を押してロックロッド５７を上方へ戻し、
レバーロッド５３がスリット５４のＬ字状部分の短辺部分から長辺部分へ移行するのを許す。そして、レバーロッド５３を上方へ引き上げる手の力をなくすと、第１アーム２１及び第２アーム２５の弾性により、レバーロッド５３は下降し、第１アーム２１及び第２アーム２５は撓みがなくなり外側へ戻り、クランプが開く、と同時に、押さえ部３５による蓋５の押さえ動作が解除される。
【００４５】
（第４実施形態）
第３実施形態では、レバーロッド５３が貫通するスリット４１により構成される第一のロック手段５５、及び機械的な第二のロック手段５６が設けられたが、次の第４実施形態のように、よりシンプルなロック手段６１を設けることもできる。すなわち、二つの板バネ４７の内側端が上方へ撓んだことにより形成される空間に、スペーサ６３を嵌め込むことでロック手段６１とすることができる。
【００４６】
第六発明等に係る第４実施形態を、図１１、１０に示す。
図１１に示すように、前記第３実施形態と異なる点は、左右の板バネ４７のへの字の各々の内側端に連結される連結部材５１の上端に、レバーロッド５３ではなく、指を引っ掛けるリングが固定され、更に、ロック手段６１となるスペーサ６３が配置される点である。
【００４７】
すなわち、リングに指を引っ掛けて上方へ引き上げることで、二つの板バネ４７の内側端が上方へ撓んだことにより、下側に形成される空間に、スペーサ６３を嵌め込む（図１２）。このスペーサ６３は、紐やワイヤで、遮蔽容器ホルダー９の一部に結ばれている。スペーサ６３は、表面に摩擦材を設けた円筒状であるが、他の形状でもかまわない。
【００４８】
（第５実施形態）
第１、第２、第３、又は第４実施形態では、クランパー２９を構成する第１アーム２１及び第２アーム２５は、遮蔽容器１に対しほぼ左右対称の動きをするものであったが、次の第５実施形態のように、非対称の動きであっても良い。
【００４９】
第七発明等に係る第５実施形態を、図１３〜図１５に示す。
図１３に示すように、この実施形態は、左右に配置される前記ハンドル１３の下方で平行に配置される板材６４の中央下面が押さえ部３５を兼ね、この板材４３の左右から下方に伸びる第１アーム２１及び第２アーム２５の下端に第１爪２３及び第２爪２７が設けられてクランパー２９を構成する点は、前記第１実施形態などと類似するが、第２アーム２５を回動可能にし且つ閉じる方向に付勢する回動機構６５が設けられる点が異なる。
【００５０】
すなわち、この回動機構６５を構成するために、第2アーム25は上部分25aと下部分25bに分割され、分割部分がヒンジ結合により、第1アーム21及び第２アーム２５が位置する平面内で回動可能に構成される。また、回動機構６５はスプリングにより閉じる方向に付勢される。下部分25bの上端は外側に反った状態で上方へ伸びレバー６６を形成する。このレバー６６を、取扱者がハンドル１３を握った手の指で引っ張る操作をする（図１４参照）ことで、回動機構６５を回動させ、第１アーム２１のみを非対称に開くことができる。
【００５１】
板材６４には、回動機構６５の開く方向の動きを規制するロック手段６７が設けられる。ロック手段６７を構成し左右方向に移動可能に設けられるロックロッド６９を、ロッドピン６９ａを指先で操作する（図１５参照）ことで、レバー６６の方向へ突出させ、ロックロッド６９の端が、レバー６６の内側に接触するので、レバー６６が開く方向の動きを不可能にできる。
【図面の簡単な説明】
【００５２】
【図１】この発明の第１実施形態に係る遮蔽容器ホルダーを示す正面からの斜視図である。
【図２】図１の上部を上方から見た斜視図である。
【図３】図１の遮蔽容器ホルダーで遮蔽容器をつかむ途中の動作を示す斜視図である。
【図４】図３の動作の後に遮蔽容器をつかんだ状態を示す斜視図である。
【図５】この発明の第２実施形態に係る遮蔽容器ホルダーを示す正面からの斜視図である。
【図６】図５の遮蔽容器ホルダーで、レバーをスリットのＬ字の短辺部分に係合させた状態を示す正面からの斜視図である。
【図７】この発明の第３実施形態に係る遮蔽容器ホルダーを示す正面からの斜視図である。
【図８】図７の右上部を内側から見た斜視図である。
【図９】図７の右上部を外側から見た斜視図である。
【図１０】図７の遮蔽容器ホルダーで遮蔽容器をつかんだ状態を示す斜視図である。
【図１１】この発明の第４実施形態に係る遮蔽容器ホルダーを示す正面からの斜視図である。
【図１２】図１１の遮蔽容器ホルダーで遮蔽容器をつかんだ状態を示す斜視図である。
【図１３】この発明の第５実施形態に係る遮蔽容器ホルダーを示す正面からの斜視図である。
【図１４】図１１の遮蔽容器ホルダーで遮蔽容器をつかむ途中の動作を示す斜視図である。
【図１５】図１１の動作の後にロックを行う動作を示す斜視図である
【図１６】従来の器具で遮蔽容器をつかんだ状態を示す斜視図である。
【符号の説明】
【００５３】
１…遮蔽容器、３…容器本体、５…蓋、７…段部、９…遮蔽容器ホルダー、１１…第１スリーブ、１３…ハンドル、１５…第２スリーブ、１７…第１シャフト、１９…第２シャフト、２１…第１アーム、２３…第１爪、２５…第２アーム、２７…第２爪、２９…クランパー、３１…外周スリーブ、３３…支持柱、３５…押さえ部、３７…コイルスプリング、３９…レバー、４１…スリット、４３…板材、４５…貫通孔、４７…板バネ、４９…支持窓、５１…連結部材、５３…レバーロッド、５４・・スリット、５５…第一のロック手段、５６・・第二のロック手段、５７…ロックロッド、６１・・ロック手段、６３・・スペーサ、６４・・板材、６５・・回動機構、６６・・レバー、６７・・ロック手段、６９・・ロックロッド。
【図１】
2005189192.tif 000003
【図２】
2005189192.tif 000004
【図３】
2005189192.tif 000005
【図４】
2005189192.tif 000006
【図５】
2005189192.tif 000007
【図６】
2005189192.tif 000008
【図７】
2005189192.tif 000009
【図８】
2005189192.tif 000010
【図９】
2005189192.tif 000011
【図１０】
2005189192.tif 000012
【図１１】
2005189192.tif 000013
【図１２】
2005189192.tif 000014
【図１３】
2005189192.tif 000015
【図１４】
2005189192.tif 000016
【図１５】
2005189192.tif 000017
【図１６】
2005189192.tif 000018